(57)【特許請求の範囲】
【請求項１】
原子力発電プラントの原子炉格納容器から排出されるベントガス中の放射性物質を除去する放射性物質除去フィルタ装置であって、
前記原子炉格納容器本体に一端を接続し、他端をスクラバ容器に接続した入口ベント配管と、
前記入口ベント配管に設けられ、前記原子力発電プラントの通常運転時には閉止されている入口弁と、
前記スクラバ容器に注水され前記ベントガス内の粒子状放射性物質を捕捉・保持可能なスクラビング水と、
前記スクラバ容器の上部に一端を接続し、他端を吸着体格納容器に接続した吸着体格納容器入口配管と、
前記吸着体格納容器に充填され前記スクラビング水を通過したベントガス内のガス状放射性物質を捕捉・保持可能な吸着体とを備え、
前記原子力発電プラントの通常運転時において、前記吸着体の吸湿を防止する吸着体乾燥保持手段を備え、
前記吸着体乾燥保持手段は、前記吸着体格納容器入口配管の他端部に設けた蓋構造であって、
前記スクラバ容器からのベントガス圧力が無いときには、前記蓋構造により、前記吸着体格納容器入口配管の開口部が密閉される
ことを特徴とする放射性物質除去フィルタ装置。
【請求項２】
原子力発電プラントの原子炉格納容器から排出されるベントガス中の放射性物質を除去する放射性物質除去フィルタ装置であって、
前記原子炉格納容器本体に一端を接続し、他端をスクラバ容器に接続した入口ベント配管と、
前記入口ベント配管に設けられ、前記原子力発電プラントの通常運転時には閉止されている入口弁と、
前記スクラバ容器に注水され前記ベントガス内の粒子状放射性物質を捕捉・保持可能なスクラビング水と、
前記スクラバ容器の上部に一端を接続し、他端を吸着体格納容器に接続した吸着体格納容器入口配管と、
前記吸着体格納容器に充填され前記スクラビング水を通過したベントガス内のガス状放射性物質を捕捉・保持可能な吸着体とを備え、
前記原子力発電プラントの通常運転時において、前記吸着体の吸湿を防止する吸着体乾燥保持手段を備え、
前記吸着体乾燥保持手段は、
前記スクラビング水を貯水する貯水タンクと、
前記貯水タンクから前記スクラバ容器にスクラビング水を注水するスクラビング水供給配管と、
前記スクラビング水供給配管に設けたタンク止め弁とを備え、
前記原子力発電プラントの通常運転時には、前記スクラバ容器内に前記スクラビング水を貯水しない
ことを特徴とする放射性物質除去フィルタ装置。
【請求項３】
請求項２に記載の放射性物質除去フィルタ装置において、
前記貯水タンクを前記スクラバ容器より上方の位置に配置している
ことを特徴とする放射性物質除去フィルタ装置。
【請求項４】
請求項２に記載の放射性物質除去フィルタ装置において、
前記貯水タンクの気相部を加圧可能なポンプと、
前記ポンプから前記貯水タンクへ加圧気体を供給可能な加圧気体供給配管と、
前記加圧気体供給配管に設けたポンプ吐出弁とを備えた
ことを特徴とする放射性物質除去フィルタ装置。
【請求項５】
請求項２に記載の放射性物質除去フィルタ装置において、
圧縮空気源から前記貯水タンクへ圧縮空気を供給可能な圧縮空気供給配管と、
前記圧縮空気供給配管に設けた供給止め弁とを備えた
ことを特徴とする放射性物質除去フィルタ装置。
【発明の詳細な説明】
【技術分野】
【０００１】
本発明は、放射性物質除去フィルタ装置に関する。
【背景技術】
【０００２】
原子力発電プラントにおいて、設計基準事故を大幅に超える事故である過酷事故等により、原子炉格納容器内に放射性物質を含んだ蒸気・ガスが大量に発生し、原子炉格納容器の耐圧圧力を超える可能性がある場合には、公衆被爆を最小限とするために、これらの蒸気・ガス（以下、ベントガスという）から放射性物質を極力除去した上で、大気中に放出する必要がある。
【０００３】
ベントガスから放射性物質を除去するための放射性物質除去フィルタ装置として、スクラビング水によるスクラビングとフィルタによる捕集により、ガス中の放射性物質を極力除去し、放射性物質低減ガスとして出口配管を介して排気塔から大気中に排出する原子炉格納容器のフィルタベント装置がある（例えば、特許文献１参照）。ここで、ベントガスは、スクラバ容器のスクラビング水に放出されることによりスクラビングされて、粒子状放射性物質が除去される。また、フィルタでは、化学反応および吸着によって、ガス状放射性物質が除去される。
【先行技術文献】
【特許文献】
【０００４】
【特許文献１】特開２０１４−４４１１８号公報
【発明の概要】
【発明が解決しようとする課題】
【０００５】
上述した原子炉格納容器のフィルタベント装置によれば、過酷事故等によって発生したベントガスから放射性物質を極力除去することができるので、放射性物質低減ガスとして大気中に排出することができる。この結果、公衆被爆を最小限にできる。
【０００６】
このような放射性物質除去フィルタ装置は、上述したように、例えば、過酷事故のときに作動するものであって、原子力発電プラントが通常運転されているとき（通常時）にはスタンバイ状態になっている。具体的には、放射性物質除去フィルタ装置を構成するプール水を蓄えたスクラバ容器とフィルタとは、入口に設けた隔離弁（入口弁）と出口側に設けたラプチャディスク等により、密閉された空間内に配置されている。
【０００７】
このため、密閉された空間内では、スクラバ容器内のプール水による蒸気により、高湿度状態になる可能性がある。フィルタを構成する吸着体において、多孔質構造のため内部に水分を取込みやすい吸着体を用いた場合、高湿度環境では吸湿により、放射性物質の除去性能が低下してしまう可能性がある。
【０００８】
本発明は上述の事柄に基づいてなされたものであって、その目的は、通常時におけるフィルタが配置される密閉空間を低湿度状態に保持できる放射性物質除去フィルタ装置を提供することである。
【課題を解決するための手段】
【０００９】
上記課題を解決するために、例えば特許請求の範囲に記載の構成を採用する。本願は、上記課題を解決する手段を複数含んでいるが、その一例を挙げるならば、原子力発電プラントの原子炉格納容器から排出されるベントガス中の放射性物質を除去する放射性物質除去フィルタ装置であって、前記原子炉格納容器本体に一端を接続し、他端をスクラバ容器に接続した入口ベント配管と、前記入口ベント配管に設けられ、前記原子力発電プラントの通常運転時には閉止されている入口弁と、前記スクラバ容器に注水され前記ベントガス内の粒子状放射性物質を捕捉・保持可能なスクラビング水と、前記スクラバ容器の上部に一端を接続し、他端を吸着体格納容器に接続した吸着体格納容器入口配管と、前記吸着体格納容器に充填され前記スクラビング水を通過したベントガス内のガス状放射性物質を捕捉・保持可能な吸着体とを備え、前記原子力発電プラントの通常運転時において、前記吸着体の吸湿を防止する吸着体乾燥保持手段を備え、前記吸着体乾燥保持手段は、前記吸着体格納容器入口配管の他端部に設けた蓋構造であって、前記スクラバ容器からのベントガス圧力が無いときには、前記蓋構造により、前記吸着体格納容器入口配管の開口部が密閉されることを特徴とする。
【発明の効果】
【００１０】
本発明によれば、通常時における放射性物質除去フィルタ装置が配置される密閉空間を低湿度状態に保持できる。この結果、フィルタを構成する吸着体の吸湿を抑制でき、放射性物質の除去性能を維持することができる。
【図面の簡単な説明】
【００１１】
【図１】本発明の放射性物質除去フィルタ装置の第１の実施の形態を備えた原子力発電プラントの概略構成を示す模式図である。
【図２Ａ】本発明の放射性物質除去フィルタ装置の第１の実施の形態を構成する吸着体格納容器の構成を示す模式図である。
【図２Ｂ】図２Ａの吸着体格納容器のＡ部を示す斜視図である。
【図３】本発明の放射性物質除去フィルタ装置の第２の実施の形態を示す模式図である。
【図４】本発明の放射性物質除去フィルタ装置の第３の実施の形態を示す模式図である。
【発明を実施するための形態】
【００１２】
以下、本発明の放射性物質除去フィルタ装置の実施の形態を図面を用いて説明する。
【実施例１】
【００１３】
図１は本発明の放射性物質除去フィルタ装置の第１の実施の形態を備えた原子力発電プラントの概略構成を示す模式図である。  
本実施の形態における放射性物質除去フィルタ装置は沸騰水型原子力発電プラントに適用される例を示す。沸騰水型原子力発電プラントは、原子炉建屋内に原子炉圧力容器１１を取り囲む原子炉格納容器１０を備えている。原子炉格納容器１０の下部周辺位置には、炉心冷却系（ＥＣＣＳ）として、冷却水を収容する環状の圧力抑制室１２が設置されている。圧力抑制室１２と原子炉格納容器１０とは、原子炉格納容器１０の下部の周方向複数個所に取付けた複数本のベント管１３により接続されている。
【００１４】
原子炉圧力容器１１の内部には、複数の燃料集合体（図示せず）が装荷された炉心（図示せず）が配置されている。原子炉圧力容器１１には、主蒸気管１１Ａや図示しない給水配管などが接続されている。
【００１５】
放射性物質除去フィルタ装置１は、原子炉格納容器１０の本体に取付けられた配管を通してベントガスを大気に排出するラインに設けられたものであって、スクラバ容器１Ａとノズル２と吸着体格納容器３とラプチャディスク４と入口弁５とを備えている。
【００１６】
原子炉格納容器１０の本体には、入口ベント配管２１の一端側が接続されていて、他端側がスクラバ容器１Ａに導入されている。入口ベント配管２１には通常のプラント運転時には閉止されていて、原子炉格納容器１０からのベントガスの排出が必要になったときに、開操作される入口弁５が設けられている。また、入口ベント配管２１の入口弁５より下流側には、窒素注入配管２５が接続されている。窒素注入配管２５には通常閉止の窒素注入弁２５ａが設けられている。
【００１７】
スクラバ容器１Ａは、ベントガス内の粒子状放射性物質を捕捉・保持するものであって、内部にスクラビング用のスクラビング水２０を貯水している。スクラバ容器１Ａの下部であって、本実施の形態においてはスクラビング水２０の中には、導入された入口ベント配管２１に一端側を接続したノズル２が設置されている。スクラバ容器１Ａの上部には、吸着体格納容器入口配管２２の一端側が接続されていて、他端側が吸着体格納容器３に導入されている。
【００１８】
吸着体格納容器３は、ベントガス内のガス状放射性物質を捕捉・保持するものであって、内部に化学反応及び吸着作用でガス状放射性物質を除去する吸着体１５が充填されている。吸着体格納容器入口配管２２を介して供給されたベントガスは吸着体１５を通過することで、ガス状放射性物質が除去される。吸着体格納容器３には、出口ベント配管２３の一端側が接続されている。
【００１９】
出口ベント配管２３の他端側はラプチャディスク４に接続されている。また、出口ベント配管２３には、窒素排出配管２６が接続されている。窒素排出配管２６には通常閉止の窒素排出弁２６ａが設けられている。また、ラプチャディスク４の下流側の排出配管２４は排気塔１６などから大気へベントガスを排出する。
【００２０】
ところで、解決すべき課題で述べたように、このような放射性物質除去フィルタ装置１は、原子力発電プラントが通常運転されているとき（通常時）には、入口弁５とラプチャディスク４により、密閉空間を構成する。そして、この密閉空間には水素爆発対策として、窒素ガスが充填されている。具体的には、例えば、原子力発電プラントの運転前に、窒素注入配管２５から窒素注入弁２５ａを介して窒素を注入し、窒素排出配管２６から窒素排出弁２６ａを介して排出することで、窒素置換を行い、その後、窒素注入弁２５ａと窒素排出弁２６ａとを閉止することで、行なわれる。
【００２１】
この窒素ガスの充填された空間内では、スクラバ容器１Ａ内のスクラビング水２０による蒸気により、高湿度状態になる可能性がある。このような状態が起きると、通常時において、吸着体格納容器３の吸着体１５が水分を取り込んでしまって、放射性物質の除去性能を低下させてしまう可能性があり、性能低下が確認された場合、吸着体の交換が必要になるという課題があった。
【００２２】
本発明の放射性物質除去フィルタ装置の第１の実施の形態は、このような問題を解決するためのものである。具体的には、吸着体乾燥保持手段として吸着体格納容器３に導入された吸着体格納容器入口配管２２の先端部に蓋構造３０を設けたことを特徴とする。以下に図２Ａ及び図２Ｂを用いて説明する。
【００２３】
図２Ａは本発明の放射性物質除去フィルタ装置の第１の実施の形態を構成する吸着体格納容器の構成を示す模式図、図２Ｂは図２Ａの吸着体格納容器のＡ部を示す斜視図である。図２Ａ及び図２Ｂにおいて、図１に示す符号と同符号のものは同一部分であるので、その詳細な説明は省略する。
【００２４】
図２Ａに示すように、吸着体格納容器３は、吸着体格納容器入口配管２２を介してベントガスが導入される入口部３ａと、ベントガス内のガス状放射性物質を化学反応及び吸着作用で除去する吸着体１５が充填された吸着部３ｂと、入口部と吸着部とを通過したベントガスが滞留する出口部３ｃとを備えている。出口部３ｃには出口ベント配管２３の一端側が接続されている。
【００２５】
また、図２Ａ及び図２Ｂに示すように、吸着体格納容器３の入口部３ａに導入された吸着体格納容器入口配管２２の先端部には、開閉可能な蓋構造３０が設けられている。
【００２６】
蓋構造３０は、吸着体格納容器入口配管２２の先端開口部の上部に設けたヒンジ機構部３１と、一端側をヒンジ機構部３１に接続することで上下可動であって、吸着体格納容器入口配管２２の先端開口部を密閉可能な蓋部３２と、吸着体格納容器入口配管２２の先端開口部において、吸着体格納容器入口配管２２の下側長さを上側長さより長くなるように形成したテーパ部３３とを備えている。
【００２７】
蓋部３２は、軽量な材質の部材で形成しているので、スクラバ容器１Ａからベントガスが流入した場合あるいは窒素置換時には、ベントガスの圧力により蓋部３２が押圧されヒンジ機構部３１により上方に開動作し、ベントガスの流れを阻害しない構成としている。
【００２８】
また、吸着体格納容器入口配管２２の先端開口部にテーパ部３３を設けているので、原子力発電プラントが通常運転されているとき（通常時）にはベントガスの圧力が無く、蓋部３２が自重でテーパ部３３を覆う。このことにより、吸着体格納容器入口配管２２の先端開口部が密閉される。この結果、吸着体格納容器３の入口部３ａが密閉されるので、スクラバ容器１Ａ内のスクラビング水２０から生じる蒸気が吸着体格納容器３へ流入することを防止できる。
【００２９】
次に、本発明の放射性物質除去フィルタ装置の第１の実施の形態の動作について図面を用いて説明する。  
図１において、原子力発電プラントの通常運転中に主蒸気管１１Ａの１本が大破断（以下、大ＬＯＣＡという）した場合、原子炉圧力容器１１で発生した蒸気が破断口から流出し原子炉圧力容器１１内の水位及び圧力が低下し、全ての制御棒が炉心に挿入されることで原子炉は停止する。この場合、非常時炉心冷却系（ＥＣＣＳ）の主要設備の一つである残留熱除去系（ＲＨＲ）を用いることで、原子炉圧力容器１１への注水、原子炉格納容器１０へのスプレイ注水、及び圧力抑制室１２の冷却を行う事ができる。原子炉圧力容器１１への注水によって冷却材水位を炉心より上方に維持することで、炉心を継続的に安定冷却しつつ、原子炉格納容器１０から除熱することで、大ＬＯＣＡを安全に収束させることができる。
【００３０】
しかし、設計基準事故を超える事故として、例えば、全交流電源喪失（ＳＢＯ）の発生を想定した場合には、上述したＲＨＲの３つの機能が使用できなくなるため、原子炉圧力容器１１内の冷却材水位が維持できずに炉心が水面上に露出して炉心に装荷されている燃料が損傷し、多量の放射性物質を含んだ蒸気・ガスが原子炉格納容器１０に放出され、事故の進展に伴い原子炉格納容器１０内の圧力と温度を上昇させることになる。
【００３１】
原子炉格納容器１０の過温、過圧破損を防止するために、原子炉格納容器１０内のベントガスから放射性物質を極力除去して大気中に放出する。  
具体的には、まず、入口弁５を開操作する。このことにより、原子炉格納容器１０内で生じた放射性物質を含むベントガスは、入口ベント配管２１を経てスクラバ容器１Ａのノズル２からスクラビング水２０中に噴出される。ノズル２によりベントガスがスクラビング水と混合されることにより、ベントガス内の粒子状放射性物質がスクラビング水中に捕捉・保持されて取り除かれる。
【００３２】
スクラビング水を通過したベントガスは、吸着体格納容器入口配管２２に流入し、先端部に設けた蓋構造３０の蓋部３２を上方に開動作させて、吸着体格納容器３の入口部３ａに導かれる。
【００３３】
吸着体格納容器３の入口部３ａに導かれたベントガスは、吸着体１５が充填された吸着部３ｂを通過して出口部３ｃから出口ベント配管２３へ流出する。ここで、吸着体１５はベントガス内のガス状放射性物質を化学反応及び吸着作用で除去する。出口ベント配管２３へ流出したベントガスはラプチャディスク４に流入し、ラプチャディスク４を破断開放して排出配管２４と共にガス流路を構成する。このことにより、ガス状放射性物質が除去されたベントガスは、出口ベント配管２３とラプチャディスク４と排出配管２４と排気塔１６などを介して大気に放出される。
【００３４】
このように、本実施の形態においては、吸着体乾燥保持手段として吸着体格納容器３に導入された吸着体格納容器入口配管２２の先端部に蓋構造３０を設けたので、原子力発電プラントの過酷事故などが発生した場合であってもベントガスから放射性物質を極力除去できると共に、通常時において、フィルタを構成する吸着体の吸湿を抑制できる。このことにより、フィルタの放射性物質の除去性能の低下を防止できる。
【００３５】
上述した本発明の放射性物質除去フィルタ装置の第１の実施の形態によれば、通常時における放射性物質除去フィルタ装置１が配置される密閉空間を低湿度状態に保持できる。この結果、吸着体格納容器３を構成する吸着体１５の吸湿を抑制でき、放射性物質の除去性能を維持することができる。
【実施例２】
【００３６】
以下、本発明の放射性物質除去フィルタ装置の第２の実施の形態を図面を用いて説明する。図３は本発明の放射性物質除去フィルタ装置の第２の実施の形態を示す模式図である。図３において、図１及び２に示す符号と同符号のものは同一部分であるので、その詳細な説明は省略する。
【００３７】
本発明の放射性物質除去フィルタ装置の第２の実施の形態において原子力発電プラントの構成と放射性物質除去フィルタ装置１の配置は図３に示すように、大略第１の実施の形態と同じであるが、吸着体格納容器３における蓋構造３０を設けていない点と、スクラビング水２０を貯水する貯水タンク６と、貯水タンク６からスクラバ容器１Ａにスクラビング水２０を供給するスクラビング水供給配管８と、スクラビング水供給配管８に設けたタンク止め弁７とを設け、原子力発電プラントの通常時には、スクラバ容器１Ａ内にスクラビング水２０を貯水しない点が異なる。
【００３８】
本実施の形態において、貯水タンク６は、スクラバ容器１Ａより上方の位置に配置している。また、スクラビング水供給配管８の一端側は貯水タンク６の下部に接続されていて、スクラビング水供給配管８の他端側はスクラバ容器１Ａの側面部に接続されている。このことにより、ポンプ等を必要とせず重力でスクラビング水２０を貯水タンク６からスクラバ容器１Ａへ供給することができる。
【００３９】
本実施の形態においては、吸着体乾燥保持手段としてスクラビング水２０を貯水する貯水タンク６と、貯水タンク６からスクラバ容器１Ａにスクラビング水２０を供給するスクラビング水供給配管８と、スクラビング水供給配管８に設けたタンク止め弁とを備え、通常時にスクラバ容器１Ａの中にスクラビング水２０を貯水しないことを特徴とする。
【００４０】
本発明の放射性物質除去フィルタ装置の第２の実施の形態の動作においては、例えば、上述したような過酷事故が発生したときに、まず、入口弁５を開操作する前に、タンク止め弁７を自動もしくは手動で開動作させて、貯水タンク６からスクラビング水２０をスクラバ容器１Ａに注水する。その後、入口弁５を開動作させてベントガスをスクラバ容器１Ａへ導入する。
【００４１】
このように、本実施の形態においては、吸着体乾燥保持手段として通常時にスクラバ容器１Ａの中にスクラビング水２０を貯水しない構成を採用したので、通常時において、フィルタを構成する吸着体の吸湿を抑制できる。このことにより、フィルタの放射性物質の除去性能の低下を防止できる。
【００４２】
上述した本発明の放射性物質除去フィルタ装置の第２の実施の形態によれば、上述した第１の実施の形態と同様の効果を得ることができる。
【００４３】
また、上述した本発明の放射性物質除去フィルタ装置の第２の実施の形態によれば、貯水タンク６をスクラバ容器１Ａより上方の位置に配置しているので、ポンプ等を必要とせず重力でスクラビング水２０を貯水タンク６からスクラバ容器１Ａへ供給することができる。この結果、過酷事故により電源が喪失した場合であっても、確実にスクラビング水２０をスクラバ容器１Ａへ注水できる。
【実施例３】
【００４４】
以下、本発明の放射性物質除去フィルタ装置の第３の実施の形態を図面を用いて説明する。図４は本発明の放射性物質除去フィルタ装置の第３の実施の形態を示す模式図である。図４において、図１乃至３に示す符号と同符号のものは同一部分であるので、その詳細な説明は省略する。
【００４５】
本発明の放射性物質除去フィルタ装置の第３の実施の形態において、原子力発電プラントの構成と放射性物質除去フィルタ装置１の配置は図４に示すように、大略第２の実施の形態と同じであるが、貯水タンク６を、スクラバ容器１Ａより上方の位置に配置していない点と、加圧気体（窒素）を供給するポンプ９と、貯水タンク６の上方部に一端を接続し、他端をポンプ９の吐出口に接続する加圧気体（窒素）供給配管９Ｂと、加圧気体供給配管９Ｂに設けたポンプ吐出弁９Ａとを備えた点が異なる。
【００４６】
本実施の形態においては、吸着体乾燥保持手段として第２の実施の形態の構成要件に加えて、貯水タンク６の気相部を加圧可能なポンプ９と、ポンプ９から貯水タンク６へ加圧気体を供給可能な加圧気体供給配管９Ｂと、加圧気体供給配管９Ｂに設けたポンプ吐出弁９Ａとを備え、通常時にスクラバ容器１Ａの中にスクラビング水２０を貯水しないことを特徴とする。
【００４７】
本発明の放射性物質除去フィルタ装置の第３の実施の形態の動作においては、例えば、上述したような過酷事故が発生したときに、まず、入口弁５を開操作する前に、タンク止め弁７を自動もしくは手動で開動作させて、次に、ポンプ９の起動とポンプ吐出弁９Ａの開動作をして、貯水タンク６の気相部を加圧することで、貯水タンク６からスクラビング水２０をスクラバ容器１Ａに注水する。その後、入口弁５を開動作させてベントガスをスクラバ容器１Ａへ導入する。
【００４８】
上述した本発明の放射性物質除去フィルタ装置の第３の実施の形態によれば、上述した第１の実施の形態と同様の効果を得ることができる。また、配置上の制約から、貯水タンク６を放射性物質除去フィルタ装置１よりも高い位置に設置できない場合に適用可能である。
【００４９】
なお、本実施の形態においては、ポンプ９によって貯水タンク６の気相部を加圧する例を説明したが、これに限るものではない。例えば、ポンプ９に替えて、圧縮空気源と弁と配管とを設けても良い。
【００５０】
なお、本発明は上述した第１乃至第３の実施の形態に限られるものではなく、様々な変形例が含まれる。上記した実施形態は本発明をわかり易く説明するために詳細に説明したものであり、必ずしも説明した全ての構成を備えるものに限定されるものではない。例えば、ある実施形態の構成の一部を他の実施の形態の構成に置き換えることが可能であり、また、ある実施形態の構成に他の実施の形態の構成を加えることも可能である。また、各実施形態の構成の一部について、他の構成の追加、削除、置換をすることも可能である。
【符号の説明】
【００５１】
１：スクラバ容器、２：ノズル、３：吸着体格納容器、４：ラプチャディスク、
５：入口弁、６：貯水タンク、７：タンク止め弁、８：スクラビング水供給配管、９：ポンプ、９Ａ：ポンプ吐出弁、９Ｂ：加圧気体供給配管、１０：原子炉格納容器、１１：原子炉圧力容器、１２：圧力抑制室、１３：ベント管、１５：吸着体、１６：排気塔、２０：スクラビング水、２１：入口ベント配管、２２：吸着体格納容器入口配管、２３：出口ベント配管、２４：排出配管、２５：窒素注入配管、２６：窒素排出配管、３０：蓋構造、３１：ヒンジ機構部、３２：蓋部、３３：テーパ部
【図１】
0006284889.tif 000002
【図２Ａ】
0006284889.tif 000003
【図２Ｂ】
0006284889.tif 000004
【図３】
0006284889.tif 000005
【図４】
0006284889.tif 000006